(57)【要約】【課題】梱包作業中に保証書が外箱外に突出するのを防止する。【解決手段】製品を収納する外箱１の上面１ａを内フラップ４ａ、４ｂと外フラップ６ａ、６ｂとで構成し、内フラップ４ａに形成された切り込み１１により相対向する一対の挟持片８、８を形成し、製品を保証する保証書１０を、一対の挟持片８、８で挟持し、且つ、内フラップ４ａと外フラップ６ａとの間に介在させた梱包装置において、内フラップ４ａに、内フラップ４ａに連接する外箱１の側壁２ａ側へ保証書１０が移動するのを規制する規制手段としての切込部１３を設ける。【効果】外フラップを閉じた際に生じる風圧などで保証書が内フラップに連接する側壁側へ大きく移動しようとしても、保証書が外箱外に突出して梱包されることがなく、保証書の汚れや破損を防止できる。【選択図】  図３
2004155481.tif 000002
【特許請求の範囲】
【請求項１】
製品を収納する外箱の一側面を内フラップと外フラップとで構成し、前記内フラップに形成された切り込みにより相対向する一対の挟持片を形成し、前記製品を保証する保証書を、前記一対の挟持片で挟持し、且つ、前記内フラップと外フラップとの間に介在させた梱包装置において、前記内フラップに、前記内フラップに連接する前記外箱の側壁側へ前記保証書が移動するのを規制する規制手段を設けたことを特徴とする梱包装置。
【請求項２】
前記規制手段は、前記内フラップの前記保証書より前記側壁側へ形成された切込部であることを特徴とする請求項１に記載の梱包装置。
【請求項３】
前記挟持片が形成された内フラップに、前記保証書の下方を前記内フラップの内方に折り曲げ可能な折曲部を形成したことを特徴とする請求項２に記載の梱包装置。
【請求項４】
前記折曲部を切り込みにて形成すると共に、該切り込みと前記切込部を連通させたことを特徴とする請求項３に記載の梱包装置。
【請求項５】
前記規制手段は、前記内フラップの前記保証書より前記側壁側に形成された段部であることを特徴とする請求項１に記載の梱包装置。
【請求項６】
前記内フラップにおいて前記一対の挟持片に連接する開口を、前記挟持片の側方に形成したことを特徴とする請求項１乃至請求項５のいずれかに記載の梱包装置。
【請求項７】
前記規制手段と挟持片を、前記側壁近傍に形成したことを特徴とする請求項１乃至請求項６のいずれかに記載の梱包装置。
【発明の詳細な説明】
【０００１】
【発明の属する技術分野】
本発明は、外箱内に製品を収納すると共に製品の保証書を有する梱包装置に関する。
【０００２】
【従来の技術】
従来の梱包装置として、製品を収納する外箱の上面を各一対の内フラップと外フラップとで構成し、一方側の内フラップに切り込みにより相対向する一対の挟持片を形成し、この一対の挟持片で製品を保証する保証書を保持すると共に、外フラップとの間で挟持して保証書を外箱内に収納するものが知られている（例えば、特許文献１）。
【０００３】
この梱包装置は一対の挟持片に、挟持片の側方側から保証書を挿入して保持した後、外フラップを閉じて梱包するが、外フラップを閉じる際に生じる風圧を受ける等して保証書が挟持片の側方側へ位置ずれする場合がある。保証書が内フラップに連接する側壁側へ大きく位置ずれた状態で外フラップを閉じて梱包されてしまうと、保証書の先端が外箱外に突出し、保証書が汚れたり破損したりする恐れがあった。
【０００４】
【特許文献１】
特開２００２−２６７４号（第２頁の段落番号１２から第３頁の段落番号１７及び図２）
【０００５】
【発明が解決しようとする課題】
本発明は、梱包作業中に保証書が外箱外に突出するのを防止できる梱包装置を提供することを課題とする。
【０００６】
【課題を解決するための手段】
上記課題を解決するための手段は、製品を収納する外箱の一側面を内フラップと外フラップとで構成し、前記内フラップに形成された切り込みにより相対向する一対の挟持片を形成し、前記製品を保証する保証書を、前記一対の挟持片で挟持し、且つ、前記内フラップと外フラップとの間に介在させた梱包装置において、前記内フラップに、前記内フラップに連接する前記外箱の側壁側へ前記保証書が移動するのを規制する規制手段を設けたものである。
【０００７】
上記構成において、前記規制手段は、前記内フラップの前記保証書より前記側壁側へ形成された切込部である。
【０００８】
また、前記挟持片が形成された内フラップに、前記保証書の下方を前記内フラップの内方に折り曲げ可能な折曲部を形成する。
【０００９】
また、前記折曲部を切り込みにて形成すると共に、この切り込みと前記切込部を連通させる。
【００１０】
また、前記規制手段は、前記内フラップの前記保証書より前記側壁側に形成された段部であってもよい。
【００１１】
また、前記内フラップにおいて前記一対の挟持片に連接する開口を、前記挟持片の側方に形成する。
【００１２】
また、前記規制手段と挟持片を、前記側壁近傍に形成する。
【００１３】
【発明の実施の形態】
本発明の第１の実施の形態を図１乃至図４に示し、以下、これらの図に基づき説明する。
【００１４】
１は図示しない製品を収納する外箱で、図３に示すように、相対向する２対の側壁２（短辺側）、３（長辺側）を有する。側壁２には、その上方に罫線Ｋ１で折り曲げられる内フラップ４ａ、４ｂが連接され、下方に罫線Ｋ２で折り曲げられる内フラップ５が形成されている。また、側壁３には、その上方に罫線Ｋ３で折り曲げられる外フラップ６ａ、６ｂが連接され、下方に罫線Ｋ４で折り曲げられる外フラップ７が形成されている。この外箱１は罫線Ｋ５で折り曲げて側壁３に連接する接続片１６を側壁２に接着することで上方及び下方を開口する箱状に形成される。そして、側壁２の上方の内フラップ４ａ、４ｂと外フラップ６ａ、６ｂとを折り重ねるように折り曲げることで上面１ａが形成され、下方の内フラップ５と外フラップ７を折り重ねるようにすることで底面１ｂが形成される。
【００１５】
外箱１の上面１ａを形成する内フラップ４ａ、４ｂの内、一方の内フラップ４ａには、相対向する一対の挟持片８、８が一方の外フラップ６ａ側に寄せて形成されている。この挟持片８の両側方には一対の挟持片８、８に連接する開口９がそれぞれ形成され、この両開口９から製品を保証する保証書１０の両端をそれぞれ内フラップ４ａの上面側に突出させて保証書１０が挟持片８の裏面と内フラップ４ａの上面との間に挟持される。
【００１６】
また、内フラップ４ａには罫線Ｋ１から保証書１０の下方に伸びるコ字状の切り込み１１が形成されており、この切り込み１１にて折曲部１２が形成される。この折曲部１２は基端となる罫線Ｋ１で内フラップ４ａの内方に折り曲げられ、保証書１０の下方に空間を形成する。
【００１７】
更に、内フラップ４ａには保証書１０より内フラップ４ａに連接する側壁２ａ側に、前記切り込み１１に連通する切込部１３が形成されている。この切込部１３は、切込部１３に対して側壁２ａと反対側を低く押し下げることで、段差が生じ、保証書１０が側壁２ａ側へ位置ずれするのを規制する規制手段として作用する。
【００１８】
１４は一方（保証書１０を覆う側）の外フラップ４ａに折曲部１２の上方に位置して形成されたミシン目で、このミシン目１４を切ってミシン目１４間を上方に折り曲げることで保証書１０の側壁２ａ側端部の上面を露出可能としている。
【００１９】
上記構成の梱包装置は、底面１ｂを閉じて上面を開口する外箱１内に、図示しない製品を収納し、一対の内フラップ４ａ、４ｂを折り曲げる。折り曲げられた内フラップ４ａ、４ｂの内、一方の内フラップ４ａの切込部１３において、内フラップ４ａに連接する側壁２ａと反対側を押し下げた後、保証書１０を開口９から挿入する。そして、図４に示すように、保証書１０の側壁２ａ側の端部が切込部１３より側壁２ａと反対側に位置する状態で、保証書１０の両端を開口９から内フラップ４ａの上面側に突出させ、一対の挟持片８、８の下面と内フラップ４ａの上面との間に挟持する。最後に外フラップ６ａ、６ｂを折り曲げ、テープ１５で閉じ、梱包が完了する。
【００２０】
この作業中、外フラップ６ａ、６ｂを閉じる時に生じる風圧等により保証書１０が内フラップ４ａに連接する側壁２ａ側へ大きく移動しようとする場合が生じる。この際、切込部１３により保証書１０が切込部１３を超えて側壁２ａ側へ移動するのを防止できるので、保証書１０の一部が外箱１外に突出した状態で梱包されるのを確実に防止できる。これにより、保証書１０が破損したり、汚れたりするのを確実に防止できる。
【００２１】
そして、この切込部１３を、折曲部１２を形成する切り込み１１に連通させているので、切り込み１１を利用して、切込部１３における側壁２ａと反対側をより容易に押し下げることができる。
【００２２】
また、挟持片８の両側方に一対の挟持片８、８に連通する開口９を形成したことで、保証書１０を挟持片の下面と内フラップ４ａの上面との間に挟持する際に、挟持片８と内フラップ４ａとの間で保証書１０を緩やかに屈曲させることができる。これにより、急に屈曲されて保証書１０が傷むのを防止することができると共に、挟持片８の撓みが少なくとも保証書１０を挟持片８の下面に押し付けて挟持させることができ、内フラップ４ａに密着する如く確実に保持できる。
【００２３】
ところで、販売店において販売店名や販売日等を記入する際には、外フラップ６ａのミシン目１４を切ってミシン目１４間を上方に起こし、保証書１０の下方に位置する折曲部１２を内フラップ４ａの内方に折り曲げ、保証書１０の端部の上面及び下面を露出させる。そして、露出させた保証書１０の先端を手で持って引き出し、販売店名や販売日等を記入する。記入後の保証書１０は、折曲部１２を折り曲げることで形成された開口から外箱１内に収納される。
【００２４】
上述の如く、ミシン目１４により、保証書１０を外箱１外に露出させておかなくても、保証書１０に販売店名や販売日等を記入する際に、保証書１０の端部を露出させることができるので、露出した保証書１０の端部に手をかけて外箱１から容易に引き出すことができる。また、通常は保証書１０の全体が外フラップ６ａで覆われているので、汚れるのを防止できる。
【００２５】
また、保証書１０に販売店名や販売日等を記入する際に、折曲部１２にて保証書１０の下方に空間を形成できるので、露出した保証書１０の端部を摘まむようにして外箱１から容易に引き出すことができる。
【００２６】
また、挟持片８と切込部１３を内フラップ４ａに連接する側壁２ａ近傍に設けることで、保証書１０を側壁２ａ近傍に保持することができ、保証書１０に販売店名や販売日等を記入する際に、保証書１０を容易に引き出すことができる。
【００２７】
尚、上記実施の形態では、保証書１０より内フラップ４ａに連接する側壁２ａ側へ切込部１３を形成し、切込部１３の側壁２ａと反対側を容易に押し下げられるようにして保証書１０の側壁２ａ側への移動を容易に規制できるようにしたが、切込部１３の代わりに、図５に示す第２の実施の形態の如く、保証書１０側を凹ませる段部１８を設け、この段部１８にて保証書１０の側壁２ａ側への移動を規制するようにしても良い。
【００２８】
【発明の効果】
本発明の請求項１によれば、外フラップを閉じた際に生じる風圧などで保証書が内フラップに連接する側壁側へ大きく移動しようとしても、規制手段にて保証書の移動が規制できるので、保証書が外箱外に突出して梱包されることがなく、保証書の汚れや破損を防止できる。
【００２９】
本発明の請求項２によれば、切込部において内フラップに連接する側壁と反対側を押し下げることにより容易に規制手段を形成できる。
【００３０】
本発明の請求項３によれば、折曲部を内フラップの下方に折り曲げることにより、保証書の下方に空間を形成でき、保証書の下面に手をかけて保証書を外箱外に容易に引き出すことができる。
【００３１】
本発明の請求項４によれば、折曲部を形成する切り込みを利用して、切込部における内フラップに連接する側壁と反対側を容易に押し下げることができる。
【００３２】
本発明の請求項５によれば、段部により、保証書が内フラップに連接する側壁側へ移動するのを防止できる。
【００３３】
本発明の請求項６によれば、挟持片にて保証書を挟持する際に、開口にて緩やかに屈曲させて挟持することができるので、急に屈曲されて保証書が傷むのを防止することができると共に、挟持片の撓みが少なくとも保証書を挟持片の下面に押し付けて挟持させることができ、内フラップに密着する如く確実に保持できる。
【００３４】
本発明の請求項７によれば、保証書を側壁近傍に保持することができ、保証書に販売店名や販売日等を記入する際に、保証書を容易に引き出すことができる。
【図面の簡単な説明】
【図１】本発明の実施の形態を示す梱包装置の斜視図である。
【図２】同梱包装置の上面の外フラップを開いた状態の斜視図である。
【図３】同梱包装置の外箱の展開図である。
【図４】図１におけるＸ−Ｘ断面図である。
【図５】本発明の第２の実施の形態における図４に対応する断面図である。
【符号の説明】
１              外箱
１ａ            外箱の上面（一側面）
２ａ            内フラップに連接する側壁
４ａ            内フラップ
６ａ            外フラップ
８              挟持片
９              開口
１１              切り込み
１２              折曲部
１３              切込部（規制手段）
１８              段部（規制手段）
【図１】
2004155481.tif 000003
【図２】
2004155481.tif 000004
【図３】
2004155481.tif 000005
【図４】
2004155481.tif 000006
【図５】
2004155481.tif 000007